(57)【要約】【課題】シールやスタンプを張ったり押したりする等のユーザー操作の感覚は残しつつ、日記等のイベント記録の操作を簡略化してユーザーの入力行為に対する負担を軽減する携帯端末装置を提供する事を目的とする。【解決手段】携帯端末装置は、キー入力を検出するキー入力部１（キー入力部はタッチパネル等の仮想キー含む）、日時情報を取得する日時情報取得部２、位置情報を取得する位置情報取得部３、キー入力部１の検出したキー入力と日時情報取得部２の取得した日時情報と位置情報取得部３の取得した位置情報とに基づいて、イベントを記録させる記録制御部４、日記を記録する日記記録部５、記録した日記を表示する表示部６を備えている。【選択図】図１
2011237903.tif 000002
【特許請求の範囲】
【請求項１】
キー入力を検出するキー入力部と、
日時情報を取得する日時情報取得部と、
位置情報を取得する位置情報取得部と、
前記キー入力部の検出したキー入力と前記日時情報取得部の取得した日時情報と前記位置情報取得部の取得した位置情報とに基づいて、イベントを記録させる記録制御部と、を備える携帯端末装置。
【請求項２】
前記記録制御部は、前記キー入力部の検出したキー入力に対応するカテゴリのイベントを記録させる
請求項１に記載の携帯端末装置。
【請求項３】
前記記録制御部は、前記キー入力部の検出したキー入力と前記日時情報取得部の取得した日時情報と前記位置情報取得部の取得した位置情報とに基づいて、複数のイベント候補から選択されたイベントを記録させる
請求項１又は請求項２に記載の携帯端末装置。
【請求項４】
前記記録制御部は、日記を記録する日記記録部に日時情報と位置情報とイベントを記録させる
請求項１乃至請求項３のいずれか１項に記載の携帯端末装置。
【請求項５】
前記記録制御部は、前記日記記録部から日時情報と位置情報とのいずれかあるいは全てを読み出し、表示部に日時情報と位置情報とイベントとのいずれかあるいは全てを表示させる
請求項４に記載の携帯端末装置。
【請求項６】
前記記録制御部が日記を記録する前記日記記録部に記録させるイベントは、文字列の情報、絵文字の情報又は装飾された文字の情報である
請求項４又は請求項５に記載の携帯端末装置。
【請求項７】
前記キー入力部は、文字列の情報、絵文字の情報又は装飾された文字の情報の入力を検出する
請求項１乃至請求項６のいずれか１項に記載の携帯端末装置。
【請求項８】
前記記録制御部は、前記キー入力部を介して入力された文字列の情報、絵文字の情報又は装飾された文字の情報を受け取り、イベントと位置情報とを更新する
請求項１乃至請求項７のいずれか１項に記載の携帯端末装置。
【請求項９】
通信ネットワークを介し情報の送受信を行う通信部を備えた
請求項１乃至請求項８のいずれか１項に記載の携帯端末装置。
【請求項１０】
前記記録制御部は、前記通信部を介しカテゴリと現在地情報とをデータベース装置に送信し、データベース装置から対応する所在地情報とイベントとを前記通信部を介して受信して、イベントと位置情報とを更新する
請求項９に記載の携帯端末装置。
【請求項１１】
前記記録制御部は、個人情報を取得する個人情報取得部を備えた
請求項１乃至請求項１０のいずれか１項に記載の携帯端末装置。
【請求項１２】
前記記録制御部は、前記通信部を介しカテゴリと現在地情報と個人情報とをデータベース装置に送信し、データベース装置から対応する所在地情報とイベントとを前記通信部を介して受信して、イベントと位置情報とを更新する
請求項９に記載の携帯端末装置。
【請求項１３】
キー入力を検出するキー入力部と、
日時情報を取得する日時情報取得部と、
位置情報を取得する位置情報取得部と、
通信ネットワークを介し情報の送受信を行う通信部と、
前記通信部を介しカテゴリと現在地情報とをデータベース装置に送信し、データベース装置から対応する所在地情報とイベントとを前記通信部を介して受信して、イベントと位置情報とを更新する記録制御部と、を備える携帯端末装置。
【請求項１４】
通信ネットワークを介して情報の送受信を行う第２の通信部と、
日時情報を取得する日時情報取得部と、
検索するイベント及び所在地情報を格納するイベント検索データベースと、
前記第２の通信部から受信した情報と前記日時情報取得部の取得した時間情報とに基づいて、イベントと所在地情報とを前記イベント検索データベースから取得するデータ検索部と、を備え、
前記第２の通信部は、データ検索部の取得したイベントと所在地情報とを通信ネットワークを介して送信する
データベース装置。
【請求項１５】
携帯端末装置とデータベース装置とからなる通信ネットワークシステムであって、
前記携帯端末装置は、
キー入力を検出するキー入力部と、
日時情報を取得する日時情報取得部と、
位置情報を取得する位置情報取得部と、
通信ネットワークを介し情報の送受信を行う通信部と、
前記通信部を介しカテゴリと現在地情報とを前記データベース装置に送信し、前記データベース装置から対応する所在地情報とイベントとを前記通信部を介して受信して、イベントと位置情報とを更新する記録制御部と、を備え、
前記データベース装置は、
通信ネットワークを介して情報の送受信を行う第２の通信部と、
日時情報を取得する日時情報取得部と、
検索するイベント及び所在地情報を格納するイベント検索データベースと、
前記第２の通信部で前記携帯端末装置から受信した情報と前記日時情報取得部の取得した時間情報とに基づいて、イベントと所在地情報とを前記イベント検索データベースから取得するデータ検索部と、を備え、
前記第２の通信部は、データ検索部の取得したイベントと所在地情報とを通信ネットワークを介して前記携帯端末装置に送信する
通信ネットワークシステム。
【発明の詳細な説明】
【技術分野】
【０００１】
本発明は、携帯端末装置に関し、特に日記作成機能を備えた携帯電話などの携帯端末装置、データベース装置及び通信ネットワークシステムに関するものである。
【背景技術】
【０００２】
日記を作成する場合、一般的には日記帳に文章を記載するような方法もあるが、例えばカレンダーやスケジュール帳に記録したい行動に対応するスタンプを押したり、シールを貼り付けるという方法がある。
【０００３】
この場合、文章を記載することは億劫だが、この張ったり押したりする行動と、その結果や押下したスタンプやシールを後に振り返るという行動に楽しみを感じて行うことが考えられる。また昨今では、携帯端末装置のカレンダーアプリケーションソフトウェアや日記アプリケーションソフトウェアを用いて、上記のような日記を作成することは可能である。どのような方法を取るとしても日記を意味ある記録にするには継続的に記録することが重要である。しかしながら、いざ上記のような日記を作成する際、例えば携帯端末装置で日記をつける場合、一般的に待受け画面からメニュー画面に遷移し、カレンダー等のアプリケーションソフトウェアを選択、起動させ、日記情報の入力をしたい日時を選択し、日記情報を入力し保存するといった迂遠な手順を取る必要がある。簡略化された手順においても、待受け画面からデスクトップ上のショートカットアイコンのようなショートカットメニューを選択し、カレンダー等のアプリケーションソフトウェアを起動させ、日記情報の入力をしたい日時を選択し、日記情報を入力し保存する、または、カレンダー等のアプリケーションソフトウェアの起動操作のために割当てられたショートカットキーを押下し、カレンダーソフト等のアプリケーションソフトウェアを起動させ、日記情報の入力をしたい日時を選択し、日記情報を入力し保存するといったように日記を作成したい場合に迂遠な手順を取る必要がある。
【０００４】
この手順が面倒で日記作成を後回しにしている内に次第に継続する事が面倒になってくることが良くある。このような日記作成の負担を軽減する方法として特許文献１が提案されている。
【０００５】
特許文献１には、定期的に自動的に位置情報を取得すること、ユーザーからの日記作成の要求イベントにより予め登録してある行動パターンと記録してある位置情報とを照合し、登録してある文章情報と組み合わせ自動的に日記を作成すること（日時と位置情報から自動的に日記を作成する）などが記載されている。
【先行技術文献】
【特許文献】
【０００６】
【特許文献１】特開２００２−２１５６１１号公報
【発明の概要】
【発明が解決しようとする課題】
【０００７】
しかしながら、特許文献１の方法では、日記作成の負担は軽減されるが、シールやスタンプを張ったり押したりするような行為を楽しむ事が出来ないという課題を有していた。
【０００８】
本発明は、前記従来の課題を解決するもので、シールやスタンプを張ったり押したりする等のユーザー操作の感覚は残しつつ、日記等のイベント記録の操作を簡略化してユーザーの入力行為に対する負担を軽減する携帯端末装置、データベース装置及び通信ネットワークシステムを提供する事を目的とする。
【課題を解決するための手段】
【０００９】
本発明の携帯端末装置は、キー入力を検出するキー入力部と、日時情報を取得する日時情報取得部と、位置情報を取得する位置情報取得部と、前記キー入力部の検出したキー入力と前記日時情報取得部の取得した日時情報と前記位置情報取得部の取得した位置情報とに基づいて、イベントを記録させる記録制御部と、を備える。
【００１０】
また、本発明の携帯端末装置は、キー入力を検出するキー入力部と、日時情報を取得する日時情報取得部と、位置情報を取得する位置情報取得部と、通信ネットワークを介し情報の送受信を行う通信部と、前記通信部を介しカテゴリと現在地情報とをデータベース装置に送信し、データベース装置から対応する所在地情報とイベントとを前記通信部を介して受信して、イベントと位置情報とを更新する記録制御部と、を備える。
【００１１】
また、本発明のデータベース装置は、通信ネットワークを介して情報の送受信を行う第２の通信部と、日時情報を取得する日時情報取得部と、検索するイベント及び所在地情報を格納するイベント検索データベースと、前記第２の通信部から受信した情報と前記日時情報取得部の取得した時間情報とに基づいて、イベントと所在地情報とを前記イベント検索データベースから取得するデータ検索部と、を備え、前記第２の通信部は、データ検索部の取得したイベントと所在地情報とを通信ネットワークを介して送信する。
【００１２】
また、本発明の通信ネットワークシステムは、携帯端末装置とデータベース装置とからなる通信ネットワークシステムであって、前記携帯端末装置は、キー入力を検出するキー入力部と、日時情報を取得する日時情報取得部と、位置情報を取得する位置情報取得部と、通信ネットワークを介し情報の送受信を行う通信部と、前記通信部を介しカテゴリと現在地情報とを前記データベース装置に送信し、前記データベース装置から対応する所在地情報とイベントとを前記通信部を介して受信して、イベントと位置情報とを更新する記録制御部と、を備え、前記データベース装置は、通信ネットワークを介して情報の送受信を行う第２の通信部と、日時情報を取得する日時情報取得部と、検索するイベント及び所在地情報を格納するイベント検索データベースと、前記第２の通信部で前記携帯端末装置から受信した情報と前記日時情報取得部の取得した時間情報とに基づいて、イベントと所在地情報とを前記イベント検索データベースから取得するデータ検索部と、を備え、前記第２の通信部は、データ検索部の取得したイベントと所在地情報とを通信ネットワークを介して前記携帯端末装置に送信する。
【発明の効果】
【００１３】
本発明の携帯端末装置、データベース装置及び通信ネットワークシステムによれば、シールやスタンプを張ったり押したりする等のユーザー操作の感覚は残しつつ、日記等のイベント記録の操作を簡略化してユーザーの入力行為に対する負担を軽減することができる。
【図面の簡単な説明】
【００１４】
【図１】本発明の実施の形態１における入力操作が簡易な日記作成機能を備えた携帯端末装置の構成図
【図２】本発明の実施の形態１における入力操作が簡易な日記作成機能を備えた携帯端末装置の記録制御部がイベントを検出することを表した図
【図３】本発明の実施の形態１における入力操作が簡易な日記作成機能を備えた携帯端末装置の記録制御部がキー入力を検出してから日記記録部に情報を記録させるまでを表したフローチャート
【図４】本発明の実施の形態１における入力操作が簡易な日記作成機能を備えた携帯端末装置の記録制御部が日記記録部から記録した情報を読み出し表示部に表示することを表した図
【図５】本発明の実施の形態１における入力操作が簡易な日記作成機能を備えた携帯端末装置の記録制御部が日記記録部から情報を読み出し表示部に情報を表示さえるまでを表したフローチャート
【図６】本発明の実施の形態１における入力操作が簡易な日記作成機能を備えた携帯端末装置の記録制御部がイベント、位置情報を更新する動作を表したフローチャート
【図７】本発明の実施の形態２における入力操作が簡易な日記作成機能を備えた携帯端末装置の構成、データベース装置の構成及び前記携帯端末装置とデータベース装置を通信ネットワークを介して接続した通信ネットワークシステムの構成図
【図８】本発明の実施の形態２における入力操作が簡易な日記作成機能を備えた携帯端末装置とデータベース装置の情報の送受信を表したシーケンス図
【図９】本発明の実施の形態２における入力操作が簡易な日記作成機能を備えた携帯端末装置の記録制御部がイベント、位置情報を更新する動作を表したフローチャート
【図１０】イベント対応表更新処理（図９のステップＳ９０３）の詳細フローチャート
【図１１】本発明の実施の形態２におけるデータベース装置のデータ検索部が通信部が受信した現在地情報、カテゴリ、個人情報を受け取ってから通信部に検索した所在地情報、イベントを送信させるまでを表したフローチャート
【発明を実施するための形態】
【００１５】
以下、本発明の実施の形態について図面を用いて説明する。
【００１６】
（実施の形態１）
図１は本発明の実施の形態１における入力操作が簡易な日記作成機能を備えた携帯端末装置の構成図である。本発明の実施の形態１における入力操作が簡易な日記作成機能を備えた携帯端末装置は、図１に示すように、キー入力を検出するキー入力部１（キー入力部はタッチパネル等の仮想キー含む）、日時情報を取得する日時情報取得部２、位置情報を取得する位置情報取得部３、キー入力部１の検出したキー入力と日時情報取得部２の取得した日時情報と位置情報取得部３の取得した位置情報とに基づいて、イベントを記録させる記録制御部４、日記を記録する日記記録部５、記録した日記を表示する表示部６を備えている。
【００１７】
図２は本発明の実施の形態１における入力操作が簡易な日記作成機能を備えた携帯端末装置の記録制御部４がイベントを検出する方法を表した図である。本発明の実施の形態１における入力操作が簡易な日記作成機能を備えた携帯端末装置の記録制御部４は図２に示すように、キー入力部１によりキー入力を検出するとキー入力部１が検出したキー入力に対応するカテゴリのイベント対応表（Ａ２０１）より、日時情報取得部２より取得した時間情報、位置情報取得部３より取得した位置情報に対応するイベントを検索し、対応するイベントを取得する（Ａ２０２）。この時、キー２に対応するカテゴリのイベント対応表に示すように複数のイベント候補からイベントを選択することも可能である（Ａ２０３）。また、取得するイベント情報は文字列情報でも、絵文字等装飾された文字でも良い（Ａ２０２）。
【００１８】
次に、実施の形態１における入力操作が簡易な日記作成機能を備えた携帯端末装置が日記情報を記録する動作について図３を用いて説明する。図３は、本発明の実施の形態１における入力操作が簡易な日記作成機能を備えた携帯端末装置の記録制御部４がキー入力部１からのキー入力を検出してから日記記録部５に情報を記録させるまでを表したフローチャートである。図３に示すように、記録制御部４はキー入力部１よりキー入力を検出すると、日時情報取得部２より時間情報を、位置情報取得部３より位置情報を取得（ステップＳ３０１）し、検出したキーを判断する（ステップＳ３０２）。また、記録制御部４は検出したキーにより、対応するカテゴリのイベント対応表から、日時情報取得部２より取得した時間情報及び位置情報取得部３から取得した位置情報に対応するイベントを取得し（ステップＳ３０３）、日記記録部５に取得したイベント、日時情報取得部２より取得した時間情報、位置情報取得部３から取得した位置情報を記録させる（ステップＳ３０４）。
【００１９】
次に、実施の形態１における入力操作が簡易な日記作成機能を備えた携帯端末装置が日記情報を表示する動作について図４、図５を用いて説明する。図４は本発明の実施の形態１における入力操作が簡易な日記作成機能を備えた携帯端末装置の記録制御部４が日記記録部５から記録した情報を読み出し表示部６に表示することを表した図である。図４において、図１と同一の番号を付したものは、図１に示すものと同一のものを示したものである。図５は、本発明の実施の形態１における入力操作が簡易な日記作成機能を備えた携帯端末装置の記録制御部４が表示部６に日記情報を表示させるまでを表したフローチャートである。本発明の実施の形態１における入力操作が簡易な日記作成機能を備えた携帯端末装置の記録制御部４は図４、図５に示すように、日記記録部５から記録しているイベント、時間情報、位置情報を読み出し（ステップＳ５０１）、表示部６に日記記録部５から読み出したイベント、時間情報、位置情報の何れか、もしくは全てを表示させる（ステップＳ５０２）。表示は図４に示すようにカレンダー形式で表示（Ｃ４０１）、あるいは、もしくは更に、日毎の詳細情報を表示（Ｃ４０２）するようにしても良い。
【００２０】
次に、実施の形態１における入力操作が簡易な日記作成機能を備えた携帯端末装置がイベント、位置情報を更新する動作について図６を用いて説明する。図６は、本発明の実施の形態１における入力操作が簡易な日記作成機能を備えた携帯端末装置の記録制御部４がイベント、位置情報を更新する動作を表したフローチャートである。図６に示すように、記録制御部４はキー入力部１よりキー入力を検出すると、日時情報取得部２より時間情報、位置情報取得部３より位置情報を取得する（ステップＳ６０１）。位置情報の取得が成功したか判断し（ステップＳ６０２）、成功した場合は検出したキーを判断する（ステップＳ６０７）。取得できなかった場合は、表示部６へ位置情報の入力を催促する画面を表示させ（ステップＳ６０３）、キー入力部１から位置情報を入力させ、位置情報を取得する（ステップＳ６０４）。次に、位置情報取得部３へキー入力部１より取得した位置情報を通知し、キー入力部１よりキー入力を検出した際の現在地情報と対応付けを行わせる（ステップＳ６０５）。次に各イベント対応表に取得した位置情報を追加する（ステップＳ６０６）。次に成功した場合同様、検出したキーを判断する（ステップＳ６０７）。キー入力部１が検出したキーにより、対応するカテゴリのイベント対応表から取得した時間情報及び位置情報に対応するイベントを取得する（ステップＳ６０８）。イベントの取得が成功したか判断し（ステップＳ６０９）、成功した場合は日記記録部５に取得したイベント、時間情報、位置情報を記録させる（ステップＳ６１３）。取得出来なかった場合は、表示部へイベントの入力を催促する画面を表示させ（ステップＳ６１０）、キー入力部１からイベント（文字列情報や絵文字等装飾された文字）を入力させ、イベントを取得する（ステップＳ６１１）。次に検出したキーに対応するカテゴリのイベント対応表を取得した時間情報、位置情報に対応するイベントとして、キー入力部１から取得したイベントで更新する（ステップＳ６１２）。次に成功した場合同様、日記記録部５に取得したイベント、時間情報、位置情報を記録させる（ステップＳ６１３）。
【００２１】
このように、本実施の形態１による入力操作が簡易な日記作成機能を備えた携帯端末装置によれば、利用者がキー押下や長押し等のキー入力のみの簡単な操作で日記を作成することができる。また、シールやスタンプを張ったり押したりする等のユーザー操作の感覚は残しつつ、日記等のイベント記録の操作を簡略化してユーザーの入力行為に対する負担を軽減することができる。
【００２２】
（実施の形態２）
図７は本発明の実施の形態２における入力操作が簡易な日記作成機能を備えた携帯端末装置、データベース装置及びそれらを通信ネットワークを介して接続したシステムの構成図である。図７において、図１と同一の番号を付したものは、図１に示すものと同一のものを示したものである。本発明の実施の形態２における入力操作が簡易な日記作成機能を備えた携帯端末装置は、図７に示すように、図１の実施形態の構成図に通信ネットワーク１３を介し情報の送受信を行う通信部７を備えている。また、個人情報を取得する個人情報取得部８を備えている。（個人情報取得部８を備えていない構成でもよい）データベース装置は通信ネットワーク１３を介し情報の送受信を行う通信部９、日時情報を取得する日時情報取得部１０、検索するイベント及び所在地情報を格納するイベント検索データベース１１、通信部９から受信した情報と前記日時情報取得部１０の取得した日時情報とに基づいて、イベント、所在地情報を前記イベント検索データベースから取得するデータ検索部１２を備えている。前記入力操作が簡易な日記作成機能を備えた携帯端末装置及びデータベース装置は通信部７と通信部９により通信ネットワーク１３を介し接続されている。
【００２３】
次に、実施の形態２における入力操作が簡易な日記作成機能を備えた携帯端末装置が通信ネットワークを介しデータベース装置からイベント情報、所在地情報の何れか、もしくは全てを取得する動作について図８を用いて説明する。図８は、本発明の実施の形態２における入力操作が簡易な日記作成機能を備えた携帯端末装置とデータベース装置の情報の送受信を表したシーケンス図である。図８に示すように入力操作が簡易な日記作成機能を備えた携帯端末装置は現在地情報、カテゴリをデータベース装置に送信する。この時、個人情報を送信しても良い。携帯端末装置から送信された情報を受信したデータベース装置は受信した情報及び日時情報取得部１０から取得した時間情報から対応するイベント、所在地情報を検索する。データベース装置は検索により得られたイベント、所在地情報を携帯端末装置に送信する。この時、候補になる情報を複数送付しても良い。また、個人情報を受信している場合は個人情報により送信する情報を絞り込む、あるいは通知順序を変えて送信しても良い。データベース装置から送信された情報を受信した入力操作が簡易な日記作成機能を備えた携帯端末装置はデータベース装置から受信した所在地情報を元に位置情報を、受信したイベントを元に該当カテゴリのイベント対応表のイベントを更新する。
【００２４】
次に、実施の形態２における入力操作が簡易な日記作成機能を備えた携帯端末装置がイベント、位置情報を更新する動作について図９を用いて説明する。図９は、本発明の実施の形態２における入力操作が簡易な日記作成機能を備えた携帯端末装置の記録制御部４がイベント、位置情報を更新する動作を表したフローチャートである。図９に示すように、記録制御部４はキー入力部１よりキー入力を検出すると、日時情報取得部２より時間情報、位置情報取得部３より位置情報を取得（ステップＳ９０１）する。位置情報の取得が成功したか判断し（ステップＳ９０２）、成功した場合は検出したキーを判断する（ステップＳ９０４）。取得できなかった場合は、イベント対応表更新処理（ステップＳ９０３）を行う。イベント対応表更新処理（ステップＳ９０３）については図１０にて後述する。次に成功した場合同様、検出したキーを判断する（ステップＳ９０４）。キー入力部１で検出したキーにより、対応するカテゴリのイベント対応表から、取得した時間情報及び位置情報に対応するイベントを取得する（ステップＳ９０５）。イベントの取得が成功したか判断し（ステップＳ９０６）、成功した場合は日記記録部５に取得したイベント、時間情報、位置情報を記録させる（ステップＳ９０７）。取得出来なかった場合は、イベント対応表更新処理（ステップＳ９０３）を行う。イベント対応表更新処理（ステップＳ９０３）については図１０にて後述する。次に成功した場合同様、日記記録部５に取得したイベント、時間情報、位置情報を記録させる（ステップＳ９０８）。続いて、図１０を用いて、イベント対応表更新処理（図９のステップＳ９０３）の説明を行う。位置情報取得部３より現在地情報（経度、緯度等）を取得する（ステップＳ１００１）。次に個人情報取得部８から個人情報を取得する（ステップＳ１００２）。（個人情報取得部８を備える場合）次に検出したキーを判断しカテゴリを分類する（ステップ１００３）。次に通信部７に取得した現在地情報、カテゴリ、個人情報（含めなくても良い）をデータベース装置に送信させる（ステップＳ１００４）。次に通信部７から、データベース装置から取得した所在地情報、イベントを受け取る（ステップＳ１００５）。位置情報取得部３へ受信した所在地情報を通知し、データベース装置に送信した現在地情報と対応付けを行わせる（ステップＳ１００６。次に各カテゴリのイベント対応表に受信した所在地情報を位置情報として追加する（ステップＳ１００７）。（ステップＳ１００６、Ｓ１００７の実施前に表示部６へ位置情報を更新するかどうか判断を催促する画面を表示させ、更新する／しないを選択できるようにしてもよい）次に送信したカテゴリのイベント対応表を取得した時間情報、追加した位置情報に対応するイベントとして取得したイベントで更新する（ステップＳ１００８）。
【００２５】
次に、実施の形態２におけるデータベース装置が所在地情報、イベントを検索し、入力操作が簡易な日記作成機能を備えた携帯端末装置に所在地情報、イベントを送信する動作について図１１を用いて説明する。図１１は、本発明の実施の形態２におけるデータベース装置のデータ検索部１２が通信部９が受信した現在地情報、カテゴリ、個人情報（含まれる場合）を受け取ってから通信部９に検索した所在地情報、イベントを送信させるまでを表したフローチャートである。図１１に示すように、データ検索部１２は通信部９より現在地情報、カテゴリ、個人情報（含まれる場合）を受信すると、日時情報取得部１０より時間情報を取得する（ステップＳ１１０１）。次に取得した現在地情報、カテゴリ、個人情報（取得した場合）、日時情報取得部１０より取得した時間情報に対応する所在地情報、イベントをイベント検索データベース１１から取得する（ステップＳ１１０２）。次に通信部９にイベント検索データベース１１から取得した所在地情報、イベントを入力操作が簡易な日記作成機能を備えた携帯端末装置に送信させる（ステップＳ１１０３）。
【００２６】
このように、本実施の形態２による入力操作が簡易な日記作成機能を備えた携帯端末装置によれば、利用者がキー押下や長押し等のキー入力のみの簡単な操作で日記として記録するイベント、位置情報を更新することができる。また、シールやスタンプを張ったり押したりする等のユーザー操作の感覚は残しつつ、日記等のイベント記録の操作を簡略化してユーザーの入力行為に対する負担を軽減することができる。
【産業上の利用可能性】
【００２７】
本発明によれば、シールやスタンプを張ったり押したりする等のユーザー操作の感覚は残しつつ、日記等のイベント記録の操作を簡略化してユーザーの入力行為に対する負担を軽減することができる。このため、本発明は、日記作成機能を備えた携帯電話などの携帯端末装置、データベース装置及び通信ネットワークシステム等として有用である。
【符号の説明】
【００２８】
１    キー入力部
２    日時情報取得部
３    位置情報取得部
４    記録制御部
５    日記記録部
６    表示部
７    通信部
８    個人情報取得部
９    通信部
１０    日時情報取得部
１１    イベント検索データベース
１２    データ検索部
１３    通信ネットワーク
【図１】
2011237903.tif 000003
【図２】
2011237903.tif 000004
【図３】
2011237903.tif 000005
【図４】
2011237903.tif 000006
【図５】
2011237903.tif 000007
【図６】
2011237903.tif 000008
【図７】
2011237903.tif 000009
【図８】
2011237903.tif 000010
【図９】
2011237903.tif 000011
【図１０】
2011237903.tif 000012
【図１１】
2011237903.tif 000013